(57)【要約】【課題】釣糸の任意の位置に浮きを簡単に仮固定すること、及びその仮固定位置を自由に変えられるようにすることを課題としている。【解決手段】第１〜第３の釣糸ガイド１〜３と、釣糸挟持具４と、浮き１１の下部に設ける支持部５と、ヒンジ軸６ａを支点にして回動可能な可動フレーム６と、支持軸７とを設けた浮き止め１０を用い、仕掛けを海中に投入するときに第２の釣糸ガイド２で釣糸２３を釣糸挟持具４の広口ガイド部４ａを通る位置に案内し、釣糸の繰り出しが止まったときに第２の釣糸ガイド２が支持軸７を弾性変形させて変位して釣糸２３を釣糸挟持具４のスリット４ｂに誘導し、その釣糸２３がスリット４ｂに弾性的に挟まれてその位置で浮き１１が釣糸２３に仮固定されるようにした。【選択図】図１
2008092809.tif 000002
【特許請求の範囲】
【請求項１】
リール（２１）から釣竿（２０）経由で繰り出された釣糸（２３）を輪に通して案内する釣竿側が若番の第１〜第３の釣糸ガイド（１〜３）と、第１、第２の釣糸ガイド（１，２)間、または、第２、第３の釣糸ガイド（２，３)間に配置する釣糸挟持具（４）と、釣り用浮き（１１）の下部に設ける支持部（５）と、この支持部（５）に水平な第１ヒンジ軸（６ａ）でその軸を支点にして回動可能に取り付ける可動フレーム（６)と、第２の釣糸ガイド（２）を支える支持軸（７）とを有し、
前記第３の釣糸ガイド（３）と釣糸挟持具（４）が前記可動フレーム（６)に設けられ、
前記釣糸挟持具（４）は、釣糸（２３）を通す広口ガイド部（４ａ）とその釣糸（２３）を弾性的に挟んで保持するスリット（４ｂ）を連設して構成され、
前記支持軸（７）は、弾性変形可能で前記可動フレーム（６）に固定され、
釣糸（２３）に張力が発生していないときに、第２の釣糸ガイド（２）が前記支持軸（７）の弾性復元位置に保持されて釣糸を前記釣糸挟持具の広口ガイド部（４ａ）を通る位置に案内し、
さらに、釣糸（２３）の繰り出しが止まって釣り用仕掛け（２４）の重量で釣糸の張力が増大したときに、第２の釣糸ガイド（２）が前記支持軸（７）を弾性変形させて変位して釣糸を前記スリット（４ｂ）に誘導し、その誘導された釣糸（２３）が前記スリット（４ｂ）に挟まれてその位置で釣り用浮き（１１）が釣糸（２３）に仮固定されるようにした浮き止め。
【請求項２】
釣糸（２３）をリール（２１）に巻き取るときに、前記可動フレーム（６）と水面に浮いた前記釣り用浮き（１１）が第１ヒンジ軸（６ａ）を支点にして相対回転し、その相対回転で第１〜第３の釣糸ガイド（１〜３）と前記広口ガイド部（４ａ）が直線上に並んでスリット（４ｂ）に挟まれた釣糸（２３）が巻き取り張力でスリット（４ｂ）から外れるようにした請求項１に記載の浮き止め。
【請求項３】
前記支持部（５）に水平な第２ヒンジ軸（８ａ）でその第２ヒンジ軸を支点にして回動可能に取り付ける補助フレーム（８）を設け、その補助フレーム（８）を前記可動フレーム（６）に係合させて可動フレーム（６）に連動させて回動させるようにした請求項２に記載の浮き止め。
【請求項４】
釣糸（２３）をリール（２１）に巻き取るときに、前記可動フレーム（６）と水面に浮いた前記釣り用浮き（１１）が第１ヒンジ軸（６ａ）を支点にして水面上に倒れた状態で浮く姿勢になるまで相対回転し、そのときに前記支持部（５）が第２の釣糸ガイド（２）を前記支持軸（７）の弾性復元位置に強制的に復帰させるようにした請求項１に記載の浮き止め。
【請求項５】
前記第１の釣糸ガイド（１）を前記支持部（５）に固定して設け、釣糸（２３）の繰り出しが止まったときに第１の釣糸ガイド（１）に加わる荷重によって前記釣り用浮き（１１）が第１ヒンジ軸（６ａ）を支点にしてして水面上で起立した姿勢になるまで可動フレーム（６）に対して回転し、そのときに、第１の釣糸ガイド（１）が、前記支持軸（７）を弾性変形させて第２の釣糸ガイド（２）を前記スリット（４ｂ）に釣糸を誘導する位置に押し動かし、釣糸（２３）をリール（２１）に巻き取るときに、その第１の釣糸ガイド（１）による押し動かしが解除されて第２の釣糸ガイド（２）が釣糸（２３）を釣糸挟持具の広口ガイド部（４ａ）に案内する位置に復帰するようにした請求項１に記載の浮き止め。
【請求項６】
請求項１〜５のいずれかに記載の浮き止め（１０）を下部に設けた釣り用浮き。
【発明の詳細な説明】
【技術分野】
【０００１】
この発明は、釣糸に対する釣り用浮きの仮固定位置を自由に簡単に変えられるようにして浮き下深度（釣り用浮きから釣り用仕掛けまでの長さ）の設定に自由度を生じさせた浮き止めとそれを用いた釣り用浮きに関する。なお、以下では、釣り用浮き、釣り用仕掛けを、単に浮きや仕掛けと言う。
【背景技術】
【０００２】
水面に浮いた浮きの沈み込みなどによって魚信を確認する浮き釣りにおいては、浮き下深度の設定の良し悪しなどが釣果を左右する。一般的な浮き釣りでは、固定浮きや遊動浮きを使用する。このうち、前者の固定浮きは、棚が浅いときの釣りに適しているが、浮き下深度が固定され、しかも、その深度の設定が釣竿の長さ以下に制限される欠点がある。
【０００３】
これに対し、後者の遊動浮きを使用する釣法は、釣竿の糸通し環を通過可能な浮き止めを釣糸（道糸）の途中に取り付け、その浮き止めで釣糸にスライド自在に外嵌したしもり玉の移動を規制し、そのしもり玉で遊動浮きの移動を規制して浮きを所望の位置に止めるものであり、浮き下深度を釣竿の長さよりも深くすることができる。この釣法での浮き止めは、釣糸にくくりつける糸や釣糸に締め代をもって外嵌するゴム粒などが採用されている。しかしながら、この釣法も浮き下深度が一定深さに固定され、その深度を自由に変化させることができない。また、この釣法は、浮き止めが釣竿の糸通し環に引っ掛かって釣糸の繰り出しが妨げられたり、その引っ掛かりが原因で釣糸に対する浮き止めの固定位置がずれて予期せぬ浮き下深度の変動が起こったりすることがある。
【０００４】
ここで、下記特許文献１は、浮き下深度を既存の浮き止めを使用せずに自在に設定する方法として、錘と遊動浮きとの間を添え糸で連結する遠投浮き釣り具を開示している。
【０００５】
また、下記特許文献２や特許文献３は、いわゆる全遊動釣法用の浮きや浮きの接続具を開示している。
【特許文献１】特開平８−１０３１９７号公報
【特許文献２】特開２０００−７８９４２号公報
【特許文献３】特開２００２−２２３６８１号公報
【発明の開示】
【発明が解決しようとする課題】
【０００６】
前掲の特許文献１が開示している釣り具は、浮き下深度が添え糸の長さによって決まるため、添え糸を継ぎ足すか、長さの異なるものと交換しなければ浮き下深度を変化させることができない。
【０００７】
また、特許文献２、３が開示している浮きや浮きの接続具は、全遊動釣法用であり、これは浮き下深度を任意に変化させることができるが、この方法は、浮きや浮きの接続具に設けた中通し孔と釣糸との摩擦抵抗を利用して釣糸に加わった魚信を浮きに伝えるので、浮力の大きな浮きを使用する釣りには適さない。
【０００８】
例えば、鯛釣りなどでは、多くの場合、５０号を超えるような重い錘を使用し、その錘を含む仕掛け全体の重さに適合した浮力を持つ浮きが使用される。このような浮力の大きい浮きを使用するときに、特許文献２、３が開示している摩擦による魚信伝達法を採用すると、浮きの浮力が中通し孔と釣糸との摩擦抵抗に勝って浮きが所望の位置に固定されず、目的の棚に投入された仕掛けの位置を維持することができない。
【０００９】
狙った魚がいる棚の深さは、釣り場やその日の潮の状況やいわゆるコマセの投入状況などによって変動する。その棚の変動に対して、釣糸に取り付けた浮き止めの位置を変化させて対応しようとすると、浮き止めの頻繁な移動が必要になって手返しのよい釣りができない。
【００１０】
釣糸の任意の位置に浮きを簡単に仮固定することができ、しかも、その仮固定位置を自由に変えることができれば、仕掛けを投入する度に最適な浮き下深度が得られる位置に浮きを止めて手返しのよい釣りが行える。この発明は、その浮き下深度の自由な設定の要望に応えることを課題としている。
【課題を解決するための手段】
【００１１】
上記の課題を解決するために、この発明においては、以下に列挙する浮き止めと浮きを提供する。
【００１２】
（１）リールから釣竿経由で繰り出された釣糸を輪に通して案内する釣竿側が若番の第１〜第３の釣糸ガイドと、第１、第２の釣糸ガイド間、または、第２、第３の釣糸ガイド間に配置する釣糸挟持具と、浮きの下部に設ける支持部と、その支持部に水平な第１ヒンジ軸でその軸を支点にして回動可能に取り付ける可動フレームと、第２の釣糸ガイドを支える支持軸とを有し、
前記第３の釣糸ガイドと釣糸挟持具が前記可動フレームに設けられ、前記釣糸挟持具は、釣糸を通す広口ガイド部と釣糸を弾性的に挟んで保持するスリットを連設して構成され、前記支持軸は、弾性変形可能で前記可動フレームに固定され、釣糸に張力が発生していないときに、第２の釣糸ガイドが前記支持軸の弾性復元位置に保持されて釣糸を前記釣糸挟持具の広口ガイド部を通る位置に案内し、さらに、釣糸の繰り出しが止まって釣り用仕掛けの重量で釣糸の張力が増大したときに、第２の釣糸ガイドが前記支持軸を弾性変形させて変位して釣糸を前記スリットに誘導し、誘導されたその釣糸がスリットに挟まれてその位置で浮きが釣糸に仮固定されるようにした浮き止め。
（２）釣糸をリールに巻き取るときに、前記可動フレームと水面に浮いた前記浮きが第１ヒンジ軸を支点にして相対回転し、その相対回転で第１〜第３の釣糸ガイドと前記広口ガイド部が直線上に並んで前記スリットに挟まれた釣糸が巻き取り張力でスリットから外れるようにした浮き止め。
（３）前記（１）、（２）の構成に加えてさらに、前記支持部に水平な第２ヒンジ軸でその第２ヒンジ軸を支点にして回動可能に取り付ける補助フレームを設け、その補助フレームを前記可動フレームに係合させて可動フレームに連動させて回動させるようにした浮き止め。
（４）前記（１）の構成に加えてさらに、釣糸をリールに巻き取るときに、前記可動フレームと水面に浮いた前記浮きが第１ヒンジ軸を支点にして水面上に倒れた状態で浮く姿勢になるまで相対回転し、そのときに前記支持部が第２の釣糸ガイドを前記支持軸の弾性復元位置に強制的に復帰させるようにした浮き止め。
（５）第１の釣糸ガイドを前記支持部に固定して設け、釣糸の繰り出しが止まったときに第１の釣糸ガイドに加わる荷重によって浮きが第１ヒンジ軸を支点にして水面上で起立した姿勢になるまで可動フレームに対して回転し、そのときに、第１の釣糸ガイドが前記支持軸を弾性変形させて第２の釣糸ガイドを前記スリットに誘導する位置に押し動かし、釣糸をリールに巻き取るときに、その第１の釣糸ガイドによる押し動かしが解除されて第２の釣糸ガイドが釣糸を釣糸挟持具の広口ガイド部に案内する位置に復帰するようにした浮き止め。
（６）前記（１）〜（５）の浮き止めを下部に設けた浮き。
【００１３】
なお、この発明で言う釣り用仕掛け（以下、単に仕掛けという）とは、釣り針を結んだハリス、錘、天秤、撒き餌かごなどを連結して目的の形に仕立てたものを指す。
【００１４】
この発明の浮き止めとそれを用いた浮きは、釣糸の繰り出し長さがわかる状況で使用すると好ましい。例えば、釣糸の繰り出し長さをカウントして表示する機能を有したリールや一定長さ毎に色分けされた釣糸が市販されており、そのようなものを使用すると釣糸の繰り出し長さを確認することができるため、勘に頼らずに狙った浮き下深度が得られる位置に浮きを仮固定することができる。
【発明の効果】
【００１５】
浮きの下部にこの発明の浮き止めを取り付け、第１〜第３の釣糸ガイドと釣糸挟持具の広口ガイド部に釣糸を通す。この状態で釣糸の先端の仕掛けとこの発明の浮き止めを取り付けた浮きを海中に投入し、釣竿に装着したリールから釣糸を送り出して仕掛けを自重で海中に沈み込ませる。このときは、第２の釣糸ガイドが釣糸を釣糸挟持具の広口ガイド部に案内するので浮き止めは釣糸に固定されず、仕掛けはスムーズに沈み込んでいく。
【００１６】
次に、釣糸の送り出しを止めると、仕掛けの重量が釣糸に受け止められて釣糸に送り出しを停止する前の張力よりも大きな張力が発生する。前記（１）〜（４）の浮き止めは、そのときに釣糸経由で第２の釣糸ガイドに対して加わる荷重によって支持軸が弾性変形する。また、（５）の浮き止めは、釣糸から第１の釣糸ガイドに加わる荷重によって浮きが水面上で起立した姿勢になるまで回転し、その回転で第１の釣糸ガイドが第２の釣糸ガイドを押して支持軸を弾性変形させ、その弾性変形によって第２の釣糸ガイドが釣糸を釣糸挟持具のスリットに案内する位置に変位する。釣糸挟持具のスリットは、第２の釣糸ガイドが無い状態では張力を生じた釣糸が第１、第３の釣糸ガイド間において自然に嵌り込む位置にあり、従って、張力が増大した釣糸は第２の釣糸ガイドの変位によって前記スリットに挟まれることになり、その位置で浮き止めが釣糸に仮固定される。釣糸に対するその仮固定位置（すなわち浮き下深度）は釣糸の繰り出しを止めるタイミングによって変化し、従って、この発明の浮き止めを使用すれば、任意の浮き下深度を簡単に設定することが可能になる。
【００１７】
次に、釣糸に対する浮き止めの仮固定状態は、釣糸をリールに巻き取り、釣り人が浮きを回収して手で解除することも可能であるが、巻き上げの初期に仮固定が自動的に解かれれば面倒な手間が省かれ、針にかかった魚の取り込みや仕掛けの回収などもスムーズに行える。前記（２）、（４）、（５）の構成を付加した浮き止めはその要求に応えられるものになっている。
【００１８】
例えば、（２）の浮き止めは、釣糸をリールに巻き取るときに可動フレームと浮きが第１ヒンジ軸を支点にして相対回転し、第１〜第３の釣糸ガイドと広口ガイド部が直線上に並んだ状態になる。一方、巻き取ろうとする釣糸には仕掛けと浮きの移動抵抗による張力が発生し、このために、釣糸は、第１の釣糸ガイドと第３の釣糸ガイド間で直線状に伸びようとしてスリットから自然に外れ、釣糸に対する浮き止めの仮固定が解ける。
【００１９】
なお、補助フレームを追設した前記（３）の浮き止めは、フレームの回動支点が２箇所となるので、可動フレームの回動安定性が増す。
【００２０】
また、前記（４）の浮き止めは、釣糸をリールに巻き取るときに可動フレームを支えた支持部が第２の釣糸ガイドを支持軸の弾性復元位置に強制的に復帰させ、そのために、巻き取り張力を受けた釣糸はスリットから自然に外れる。前記（５）の浮き止めも、釣糸をリールに巻き取るときに浮きが水面上で倒れることによって、第１の釣糸ガイドによる押し動かしが解除され、これにより第２の釣糸ガイドが釣糸を釣糸挟持具の広口ガイド部に案内する位置に復帰して釣糸が釣糸挟持具のスリットから自然に外れる。
【００２１】
この発明の浮き止めは、浮きに後付けできる構造にしてそれのみを提供してもよいし、浮きと組み合わせて浮き止め付きの浮きとして提供してもよい。浮き止めのみを単品で提供すれば、釣り人が手作りした浮きと組み合わせて使用することができる。
【発明を実施するための最良の形態】
【００２２】
以下、この発明の浮き止めと、それを用いた浮きの実施の形態を添付図面に基づいて説明する。図１〜図４は、第１形態の浮き止めである。この浮き止め１０は、第１〜第３の釣糸ガイド１〜３と、釣糸挟持具４と、浮き１１の下部に設ける支持部５と、その支持部５の下部に水平なヒンジ軸（第１ヒンジ軸）６ａでその軸６ａを支点にして回動可能に取り付ける可動フレーム６と、第２の釣糸ガイド２を変位可能に支持する支持軸７と、補助フレーム８を有する。９は釣糸２３との干渉回避を目的として支持部５に設けた逃がし部（溝）である。
【００２３】
第１〜第３の釣糸ガイド１〜３は、いずれも輪をなしており、釣竿に近い側（図２の右側）から釣糸先端の仕掛け側（図２の左側）に向かって１，２，３の順に並べている。
【００２４】
図５に示すように、釣竿２０にはリール２１が装着され、そのリール２１に巻かれた釣糸２３が釣竿の糸通し環２２に案内されて釣竿から繰り出される。その釣糸（道糸）２３を浮き１１の下部に取り付けられた浮き止め１０の第１〜第３の釣糸ガイド１〜３の内側に順番に通して各釣糸ガイドで案内する。
【００２５】
釣糸２３の先端には、仕掛け２４が接続されている。仕掛け２４は、天秤２５、撒き餌かご２６、錘２７（これは撒き餌かごと一体になったものもある）、釣針２９を結んだハリス２８を有する天秤仕掛けを例示したが、この形式に限定されるものではない。
【００２６】
例示の浮き止め１０は、第１の釣糸ガイド１を支持部５の下部に固定して設け、その第１の釣糸ガイド１と第２の釣糸ガイド２間に釣糸挟持具４を配置し、さらに、第２の釣糸ガイド２と第３の釣糸ガイド３と釣糸挟持具４を可動フレーム６に設けている。
【００２７】
釣糸挟持具４は、釣糸２３を抵抗なく通す広口ガイド部４ａに釣糸２３を弾性的に挟んで保持するスリット４ｂを連設したものであって（図１、図４参照）、第１形態の浮き止め１０は、可動フレーム６の上側（根元側）部分をその釣糸挟持具４として構成している。
【００２８】
可動フレーム６は、ヒンジ軸６ａを設けた上端を支持部５にヒンジ結合させており、この可動フレーム６の下端に第３の釣糸ガイド３を設けている。また、支持軸７は弾性変形可能な線ばねで形成して可動フレーム６の長手途中に固定している。その支持軸７は、固定端から第３の釣糸ガイド３側に向けて伸び出させた後、第３の釣糸ガイド３に至る前にＶ字状に曲げて折り返しており、その折り返し端に第２の釣糸ガイド２を設けている。
【００２９】
なお、釣糸挟持具４のスリット４ｂは、第１、第３の釣り糸ガイド１，３間の釣糸２３を第２の釣糸ガイド２に通さない状態でその釣糸２３に張力を加えたときに、釣糸２３が自然に挟まれる位置に設けている。
【００３０】
また、第２の釣糸ガイド２は、支持軸７が弾性復元しているときに釣糸２３を釣糸挟持具４の広口ガイド部４ａを通る位置に案内する箇所に設けている。
【００３１】
第２、第３の釣糸ガイド２，３、可動フレーム６、支持軸７、及び補助フレーム８は、耐食性を考慮してばね性のあるステンレス鋼線で形成したが、材料はステンレス鋼線に限定されない。
【００３２】
補助フレーム８は、上端に設けたヒンジ軸（第２ヒンジ軸）８ａをヒンジ軸６ａよりも第１の釣糸ガイド１に近いところで支持部５に結合させて回動可能に吊り下げている。この補助フレーム８は、ヒンジ軸８ａから垂下した部分を第１の釣糸ガイド１が通り抜け可能な広口部８ｂとして形成し、さらに、その広口部８ｂよりも下側部分を可動フレーム６側に向かって略９０°の角度で緩やかに屈曲させ、下端に設けた輪８ｃを可動フレーム６の下側の直線部に係合（遊嵌）させている。これにより、可動フレーム６がヒンジ軸６ａを支点にして回動するときに補助フレーム８も一緒に回動し、回動支点が２箇所となって可動フレーム６の回動が安定する。
【００３３】
以上のように構成した第１形態の浮き止め１０は、浮き１１の下部に取り付けて使用する。浮き１１に取り付けた浮き止め１０の第１〜第３の釣糸ガイド１〜３と釣糸挟持具の広口ガイド部４ａに釣糸２３を通し、この状態で釣糸２３の先端の仕掛け（図５の２４）と浮き１１を海中に投入し、リール２１から釣糸２３を送り出して仕掛けを自重で海中に沈み込ませる。このときには、第２の釣糸ガイド２は支持軸７の弾性復元位置（厳密に言えば釣糸に弱い張力が加わるので無視できる程度に弾性変形した位置）に保持されており、この第２の釣糸ガイド２が釣糸２３を釣糸挟持具の広口ガイド部４ａを通る位置に案内する。そのために浮き止め１０は釣糸２３に固定されず、仕掛けがスムーズに海中に沈み込んでいく。
【００３４】
次に、釣糸２３が目標長さ繰り出されたところで釣糸２３の送り出しを止める。この操作で、仕掛けの重量が釣糸に受け止められて釣糸２３の張力が送り出しを止める前の張力よりも大きくなり、そのときの荷重で支持軸７が弾性変形して第２の釣糸ガイド２が図２に一点鎖線で示すように第１の釣糸ガイド１側に変位し、釣糸を釣糸挟持具のスリット４ｂに案内する。このために、張力を発生した釣糸２３は、図２の鎖線位置でスリット４ｂに挟まれ、その位置で浮き止め１０（つまりは浮き１１）が釣糸２３に仮固定される。
【００３５】
釣糸２３の送り出しを止めるときに釣竿を軽くしゃくって（立てるように持ち上げて）もよく、この動作を加えると、釣糸２３の張力増大が衝撃的に起こって支持軸７が瞬間的にはねるように弾性変形し、第２の釣糸ガイド２によるスリット４ｂへの釣糸の誘導がより確実になされる。
【００３６】
また、釣れた魚の取り込みや仕掛けの回収のために釣糸２３をリールに巻き取ると、その巻取りの初期に、可動フレーム６と浮き１１がヒンジ軸６ａを支点にして図３に示すように相対回転し、第１〜第３の釣糸ガイド１〜３と広口ガイド部４ａが直線上に並んだ状態になる。このとき、巻き取ろうとする釣糸２３には仕掛けと浮きの移動抵抗による張力が発生し、このために、釣糸２３は、第１の釣糸ガイド１と第３の釣糸ガイド３間で直線状になろうとしてスリット４ｂから自然に外れる。これにより、釣糸２３に対する浮き止めの仮固定が解け、浮き１１が仕掛け側の既知の浮き止め（図５の３０参照。これは浮き１１が仕掛けに絡まないようにするために仕掛けの近辺において釣糸２３に装着される）に規制される位置まで移動可能となって釣れた魚の取り込みや仕掛けの回収などがスムーズに行えるようになる。
【００３７】
図６〜図８は、第２形態の浮き止めを示している。この第２形態の浮き止め（説明の便宜上１０Ａと表示）は、第１形態の浮き止め１０と同様の要素、すなわち、第１〜第３の釣糸ガイド１〜３と、釣糸挟持具４と、浮き１１の下部に設ける支持部５と、その支持部５にヒンジ軸６ａを結合させて取り付ける可動フレーム６と、支持軸７と、補助フレーム８を有する。
【００３８】
第１〜第３の釣糸ガイド１〜３は、第１形態の浮き止め１０に設けたものと同様の機能をもつものを同様の配置にして設けている。
【００３９】
可動フレーム６は直線状とし、下端に第３の釣糸ガイド３を設けたこの可動フレームの上端側に逆Ｕ字状に曲げた部分を連設してその部分を広口ガイド部４ａとスリット４ｂを備えた釣糸挟持具４として構成している。また、線ばねからなる支持軸７を可動フレーム６に上向き配置にして取り付け、この支持軸７の自由端である上端に第２の釣糸ガイド２を設けている。その第２の釣糸ガイド２と第３の釣糸ガイド３との間に釣糸挟持具４を配置し、さらに、第１の釣糸ガイド１を補助フレーム８の下端に設けている。
【００４０】
補助フレーム８は、長手途中を釣糸挟持具４の部分に釣糸挟持具４に沿った相対移動が許容されるように係合させており、可動フレーム６がヒンジ軸６ａを支点にして回動するときに補助フレーム８も連動して回動する。
【００４１】
この浮き止め１０Ａは、第１形態の浮き止め１０とは形状が異なるが、機能上の相違はほとんど無く、第１形態の浮き止めと同様の作用によって同様の効果を発揮する。
【００４２】
図６の一点鎖線は、仕掛けの重量による張力が釣糸２３に発生し、それにより、釣糸２３がスリット４ｂに挟まれて浮き止め１０Ａ（浮き１１）が釣糸２３に仮固定された状態を表している。また、図８は、釣糸２３の巻取りの初期に可動フレーム６と浮き１１がヒンジ軸６ａを支点にして相対回転した状態を表している。このときにも、第１〜第３の釣糸ガイド１〜３と、広口ガイド部４ａが直線上に並んだ状態になって巻き取り張力を受けた釣糸２３がスリット４ｂから外れ、釣糸２３に対する浮き止め１０Ａの仮固定が解ける。
【００４３】
図９及び図１０は、この発明の第３形態の浮き止め（便宜上１０Ｂと表示）である。この浮き止め１０Ｂも、第１〜第３の釣糸ガイド１〜３と、釣糸挟持具４と、浮き１１の下部に設ける支持部５と、その支持部５にヒンジ軸６ａでヒンジ結合させて取り付ける可動フレーム６と、線ばねで形成された支持軸７を有する。第１、第２形態の浮き止めに設けた補助フレームは、第３形態の浮き止めには無い。
【００４４】
この浮き止め１０Ｂは、支持部５を、下部中心にローラ１２を設けたクレビス金具で構成してこの支持部５に可動フレーム６をヒンジ結合させている。ローラ１２は、外周に溝を設けた溝付きローラが釣糸のガイド安定性が高くて好ましい。可動フレーム６の長手途中に枝６ｂを設け、その枝６ｂの先端の水平な軸部を支持部５のローラ１２よりも上側部分にヒンジ結合させている。また、可動フレーム６の第１の釣糸ガイド１を設けた一端側を直線部６ｃとして形成し、可動フレーム６の他端側は支持部５のクレビス溝に通し、直線部６ｃの端から下側に屈曲させて屈曲した他端に第３の釣糸ガイド３を設けている。
【００４５】
支持軸７は、第１の釣糸ガイド１に近い側の端部を可動フレーム６に固定し、第１の釣糸ガイド１から離反する方向に伸び出した自由端に第２の釣糸ガイド２を設け、この第２の釣糸ガイド２と第１の釣糸ガイド１間に釣糸挟持具４を配置している。第２の釣糸ガイド２は、第１、第２形態の浮き止めに設けたものと同様の働きをする。
【００４６】
釣糸挟持具４も、第１、第２形態の浮き止めに設けたものと同様の働きをするものであり、釣糸２３を抵抗無く通す広口ガイド部４ａと、釣糸２３を挟みつけて保持するスリット４ｂを備えている。
【００４７】
この浮き止め１０Ｂは、仕掛けと浮き１１を海中に投入したときに仕掛けの重量で可動フレーム６の屈曲した他端側が図９に示すような姿勢になり、この状態で仕掛けが沈んでいく。また、釣糸の繰り出しを止めると、第１、第２形態の浮き止めと同様に、仕掛けの重量を受けた第２の釣糸ガイド２が支持軸７を弾性変形させて変位し、それにより、釣糸２３が釣糸挟持具４のスリット４ｂに挟まれてその位置に浮き１１が仮固定される。
【００４８】
一方、釣糸２３をリールに巻き取るときには、巻取りの初期に可動フレーム６と浮き１１が水面上に倒れた状態で浮く姿勢になるまで相対回転してこのときに支持部が第２の釣糸ガイド２を支持軸７の弾性復元位置に強制的に押し動かす。これにより巻き取り張力を受けた釣糸２３がスリット４ｂから引き外される。この作用は第１、第２形態の浮き止めとは異なるが、効果には大差が無い。
【００４９】
図１１〜図１３は、この発明の第４形態の浮き止め（便宜上１０Ｃと表示）である。この浮き止め１０Ｃも、第１〜第３の釣糸ガイド１〜３と、釣糸挟持具４と、浮き１１の下部に設ける支持部５と、可動フレーム６と、線ばねで形成された支持軸７を有する。この第４形態の浮き止め１０Ｃにも補助フレームは無い。可動フレーム６は直線状にし、上端のヒンジ軸６ａを支持部５にヒンジ結合させて支持部５に回転可能に吊り下げている。第１の釣糸ガイド１は支持部５に固定しており、浮き１１と一体になって動く。
【００５０】
支持軸７の先端に第２の釣糸ガイド２を設けてこれを第１の釣糸ガイド１と釣糸挟持具４との間に配置している。また、支持軸７の先端側に枝部７ａを設けてその枝部７ａを第１の釣糸ガイド１で押し動かし得る位置に配置している。このほか、釣糸挟持具４の上端側をヒンジ軸６ａによるヒンジ結合点よりも上側まで延ばし、延長した上端を起立した浮き１１の起立位置からの更なる回転（起立位置を通り越した回転）を規制するストッパとして機能させるようにしている。
【００５１】
図示の浮き止め１０Ｃは、その釣糸挟持具４の上端側を広口ガイド部４ａの延長部として構成し、釣竿から出た釣糸２３を第１の釣糸ガイド１に通す前に釣糸挟持具４の広口ガイド部４ａに通し、第１の釣糸ガイド１を通過した釣糸２３を再度、広口ガイド部４ａに通し、その後に第３の釣糸ガイド３に導くようにしたが、釣糸挟持具４の延長した上端まで広口ガイド部４ａを形成することは発明の必須の要件とはならない。
【００５２】
この浮き止め１０Ｃは、可動フレーム６が自重で垂下した状態のときに浮き１１が倒れた姿勢で水面に浮いていると、釣糸２３に対して固定されない。従って、仕掛けがスムーズに海中に沈み込んでいくが、その仕掛けが所望の浮き下深度位置まで沈んだときに釣糸の繰り出しを止めると釣糸２３の張力が増して第１の釣糸ガイド１に仕掛けの重量が加わり、その重みで浮き１１が図１２に示すように起立する。このとき、支持部５に設けた第１の釣糸ガイド１が支持軸７の枝部７ａに係合して枝部７ａを押し動かし、そのために支持軸７が弾性変形して第２の釣り糸ガイド２が釣糸２３を釣糸挟持部のスリット４ｂに案内する図１２の位置に変位し、そのために、釣糸２３がスリット４ｂに挟まれてその位置で浮き止め１０Ｃが釣糸に仮固定される。
【００５３】
また、釣糸２３をリールに巻き取るときには、巻取りの初期に浮き１１が引き動かされて水面上で倒れ、このために、第１の釣糸ガイド１による枝部７ａの押し動かしが解除され、支持軸７が弾性復元して第２の釣糸ガイド２が図１１の状態に復帰し、その第２の釣糸ガイド２に案内される釣糸（これは巻き取り張力生じている）２３がスリット４ｂから外れて釣れた魚の取り込みや仕掛けの回収がスムーズに行えるようになる。
【００５４】
なお、この発明の浮きは、図１、図６、図９、図１２に示すように、浮き１１の下部にこの発明の浮き止め１０を着脱自在に、または着脱不可に取り付けて構成する。
【図面の簡単な説明】
【００５５】
【図１】この発明の浮き止めの第１形態を示す斜視図
【図２】図１の浮き止めの側面図
【図３】図１の浮き止めによる浮きの仮固定が解除された状態を示す側面図
【図４】釣糸挟持部の正面図
【図５】図1の浮き止めを設けた浮きを使用した釣具の一例の概要を示す図
【図６】第２形態の浮き止めを示す側面図
【図７】図６の浮き止めの斜視図
【図８】図６の浮き止めによる浮きの仮固定が解除された状態を示す側面図
【図９】第３形態の浮き止めを示す側面図
【図１０】図９の浮き止めの斜視図
【図１１】第４形態の浮き止めを示す側面図
【図１２】図１１の浮き止めよる浮きの仮固定がなされた状態を示す側面図
【図１３】図１１の浮き止めの斜視図
【符号の説明】
【００５６】
１          第１の釣糸ガイド
２          第２の釣糸ガイド
３          第３の釣糸ガイド
４          釣糸挟持具
４ａ        広口ガイド部
４ｂ        スリット
５          支持部
６          可動フレーム
６ａ        ヒンジ軸
６ｂ        枝
６ｃ        直線部
７          支持軸
７ａ        枝部
８          補助フレーム
８ａ        ヒンジ軸
８ｂ        広口部
８ｃ        輪
９          逃がし部
１０，１０Ａ，１０Ｂ，１０Ｃ  浮き止め
１１        浮き
１２        ローラ
２０        釣竿
２１        リール
２２        糸通し環
２３        釣糸
２４        仕掛け
２５        天秤
２６        撒き餌かご
２７        錘
２８        ハリス
２９        釣針
３０        浮き止め
【図１】
2008092809.tif 000003
【図２】
2008092809.tif 000004
【図３】
2008092809.tif 000005
【図４】
2008092809.tif 000006
【図５】
2008092809.tif 000007
【図６】
2008092809.tif 000008
【図７】
2008092809.tif 000009
【図８】
2008092809.tif 000010
【図９】
2008092809.tif 000011
【図１０】
2008092809.tif 000012
【図１１】
2008092809.tif 000013
【図１２】
2008092809.tif 000014
【図１３】
2008092809.tif 000015